(57)【要約】【課題】落下等の衝撃により、リーダーテープがリールの巻き締まり方向へ引っ張られても、そのリーダーテープの収納保持部からの脱落を防止できる記録テープカートリッジの提供を課題とする。【解決手段】記録テープＴの端部に取り付けられるとともに、記録テープＴの幅方向に張り出した張出部２６とドライブ装置の引出部材が係合する係合孔部２４と係合孔部２４よりもその引出部材による引出方向側に設けられた弾性保持部２８とを有し、ケース１２に形成された開口２０からその引出部材によって引き出されるリーダーテープ２２と、ケース１２に形成され、張出部２６を収納保持する収納保持部５０と、ケース１２に設けられ、開口２０を開閉するドア３０と、ドア３０に設けられ、ドア３０による開口２０の閉塞時に、弾性保持部２８を保持する保持手段６０と、を有する記録テープカートリッジ１０とする。【選択図】図６
2010061747.tif 000002
【特許請求の範囲】
【請求項１】
記録テープが巻装されたリールを回転可能に単一で収容するケースと、
前記記録テープの端部に取り付けられるとともに、該記録テープの幅方向に張り出した張出部とドライブ装置の引出部材が係合する係合孔部と該係合孔部よりも前記引出部材による引出方向側に設けられた弾性保持部とを有し、前記ケースに形成された開口から前記引出部材によって引き出されるリーダーテープと、
前記ケースに形成され、前記張出部を収納保持する収納保持部と、
前記ケースに設けられ、前記開口を開閉するドアと、
前記ドア又は前記ケースに設けられ、前記ドアによる前記開口の閉塞時に、前記弾性保持部を保持する保持手段と、
を有することを特徴とする記録テープカートリッジ。
【請求項２】
前記保持手段が、前記ドアの開閉動作に伴って回動する係止爪を有し、前記弾性保持部が、前記係止爪を挿入させる保持孔部を有することを特徴とする請求項１に記載の記録テープカートリッジ。
【請求項３】
前記弾性保持部が、ゴム系の粘弾性体で構成されていることを特徴とする請求項１又は請求項２に記載の記録テープカートリッジ。
【発明の詳細な説明】
【技術分野】
【０００１】
本発明は、主にコンピューター等の記録再生媒体として使用される磁気テープ等の記録テープが巻装されたリールをケース内に単一で収容してなる記録テープカートリッジに関する。
【背景技術】
【０００２】
コンピューター等のデータ記録再生媒体として使用されている磁気テープ等の記録テープをリールに巻装し、そのリールをケース内に回転可能に単一で収容してなる記録テープカートリッジは、従来から知られている。このような記録テープカートリッジにおいて、記録テープの端部には、ドライブ装置の引出部材（図示省略）が係合して引き出すリーダー部材が固着されている。
【０００３】
リーダー部材としては、リーダーテープ、リーダーピン、リーダーブロック等が知られている。中でもリーダーテープは、ポリエチレンテレフタレート（ＰＥＴ）を主基材として成形され、ドライブ装置に装填しないとき（不使用時）には、リーダーテープの幅方向に張り出した張出部が、ケースに設けられたスロット部（収納保持部）に収納されて保持されるようになっている。そして、ドライブ装置に装填したときには、ドライブ装置の引出部材が、リーダーテープの先端部近傍に穿設された係合孔部に係合して、そのリーダーテープを引き出すようになっている。
【０００４】
このようなリーダーテープにおいては、落下等の衝撃によって、リールの巻き締まり方向（リーダーテープの引出方向とは反対方向であり、以下「テンション方向」という場合がある）へ強引に引っ張られることがあり、その場合には、張出部が撓み変形して、スロット部から外れてしまうことがあった。そのため、従来では、張出部にテンション方向へ弾性変形可能なバネ性を持たせ、そのテンション方向へ引っ張られる力を緩和吸収するようにしていた（例えば、特許文献１参照）。
【特許文献１】特開２００４−５５０３８号公報
【発明の開示】
【発明が解決しようとする課題】
【０００５】
しかしながら、このような構成にしても、落下等の衝撃により、その緩和吸収性能を超える力でテンション方向へ引っ張られた場合には、張出部がスロット部から外れてしまう懸念があった。つまり、このような構成だけでは、落下等の衝撃に対するリーダーテープのスロット部からの外れ（脱落）防止対策が充分であるとは言えなかった。
【０００６】
そこで、本発明は、上記事情に鑑み、落下等の衝撃により、リーダーテープがリールの巻き締まり方向へ引っ張られても、そのリーダーテープの収納保持部からの脱落を防止できる記録テープカートリッジを得ることを目的とする。
【課題を解決するための手段】
【０００７】
上記の目的を達成するために、本発明に係る請求項１に記載の記録テープカートリッジは、記録テープが巻装されたリールを回転可能に単一で収容するケースと、前記記録テープの端部に取り付けられるとともに、該記録テープの幅方向に張り出した張出部とドライブ装置の引出部材が係合する係合孔部と該係合孔部よりも前記引出部材による引出方向側に設けられた弾性保持部とを有し、前記ケースに形成された開口から前記引出部材によって引き出されるリーダーテープと、前記ケースに形成され、前記張出部を収納保持する収納保持部と、前記ケースに設けられ、前記開口を開閉するドアと、前記ドア又は前記ケースに設けられ、前記ドアによる前記開口の閉塞時に、前記弾性保持部を保持する保持手段と、を有することを特徴としている。
【０００８】
請求項１に記載の発明によれば、ドアによる開口の閉塞時（不使用時）に、リーダーテープの係合孔部よりもドライブ装置の引出部材による引出方向側に設けられた弾性保持部が、ドア又はケースに設けられた保持手段によって保持される。したがって、落下等の衝撃により、リーダーテープがリールの巻き締まり方向へ引っ張られても、そのリーダーテープに設けられた弾性保持部の復元力により、リーダーテープは引出方向（巻き締まり方向とは反対方向）へ引っ張られる。よって、リーダーテープ（張出部）の収納保持部からの脱落を防止することができる。
【０００９】
また、請求項２に記載の記録テープカートリッジは、請求項１に記載の記録テープカートリッジにおいて、前記保持手段が、前記ドアの開閉動作に伴って回動する係止爪を有し、前記弾性保持部が、前記係止爪を挿入させる保持孔部を有することを特徴としている。
【００１０】
請求項２に記載の発明によれば、ドアによる開口の閉塞時（不使用時）に、リーダーテープの弾性保持部は係止爪によって保持される。したがって、リーダーテープ（張出部）の収納保持部からの脱落を良好に防止することができる。
【００１１】
また、請求項３に記載の記録テープカートリッジは、請求項１又は請求項２に記載の記録テープカートリッジにおいて、前記弾性保持部が、ゴム系の粘弾性体で構成されていることを特徴としている。
【００１２】
請求項３に記載の発明によれば、弾性保持部は良好な復元力を有する。したがって、リーダーテープ（張出部）の収納保持部からの脱落を良好に防止することができる。
【発明の効果】
【００１３】
以上のように、本発明によれば、落下等の衝撃により、リーダーテープがリールの巻き締まり方向へ引っ張られても、そのリーダーテープの収納保持部からの脱落を防止できる記録テープカートリッジを提供することができる。
【発明を実施するための最良の形態】
【００１４】
以下、本発明の最良な実施の形態について、図面に示す実施例を基に詳細に説明する。図１は本発明に係る記録テープカートリッジを示す概略斜視図であり、図２はリーダーテープの先端部側（引出方向側）の構成を示す概略側面図である。そして、図３は記録テープカートリッジの開口付近の構成を示す概略平面図であり、図４はドアに設けられた保持手段の構成を示す概略分解斜視図、図５は保持手段を備えたドアの一部破断概略平面図である。
【００１５】
なお、説明の便宜上、記録テープカートリッジ１０のドライブ装置への装填方向を矢印Ａで表し、それを記録テープカートリッジ１０の前方向とする。また、矢印Ｂを記録テープカートリッジ１０の左方向、矢印Ｃを記録テープカートリッジ１０の上方向とし、前後・左右・上下の表現をする場合には、主にこれら各矢印の方向に従うものとする。
【００１６】
図１で示すように、記録テープカートリッジ１０は、略矩形箱状のケース１２を有している。このケース１２は、ポリカーボネート（ＰＣ）等の合成樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やネジ止め等によって接合されて構成されている。
【００１７】
また、ケース１２の内部にはリール１８が回転可能に単一で収容されている（図６、図７にその一部が示されている）。リール１８には、情報記録再生媒体としての磁気テープ等の記録テープＴが巻装されている。また、リール１８の下面にはリールギア（図示省略）が環状に形成されており、下ケース１６に穿設されたギア開口（図示省略）から露出するようになっている。
【００１８】
記録テープカートリッジ１０の左前方側のコーナー部１２Ｃ付近には、リール１８に巻装された記録テープＴを外部に引き出すための開口２０が形成されている。すなわち、コーナー部１２Ｃに隣接する前壁１２Ａと左側壁１２Ｂとに跨って開口２０が形成され、その開口２０から、記録テープＴの端部に固着され、左側壁１２Ｂに沿って配置されたリーダーテープ２２が引き出されるようになっている。
【００１９】
なお、リーダーテープ２２の構成については後述する。また、ここで言うコーナー部１２Ｃとは、略矩形箱状ケース１２の周壁１４Ｂ、１６Ｂにおいて、前壁１２Ａと左側壁１２Ｂとが平面視で略直角に交わっている稜線部分を指している。また、開口２０は、左前方側のコーナー部１２Ｃ付近に設けられる場合に限定されるものではなく、例えば右前方側のコーナー部１２Ｄ付近に設けられる場合もある。
【００２０】
また、その開口２０は、記録テープカートリッジ１０の不使用時にはドア３０によって閉塞される。このドア３０は、開口２０と略同じ形状及び大きさの平面視略「Ｌ」字状に形成されている。なお、このドア３０は、ＰＯＭ等のオレフィン系樹脂で成形されるのが好ましいが、ＰＣ等の樹脂やＳＵＳ等の金属で成形してもよい。
【００２１】
また、そのドア３０の回動支点となる支軸３２が、上ケース１４及び下ケース１６の前壁１２Ａ側にそれぞれ突設されている。この支軸３２は、上ケース１４側が円筒状のボス３２Ａになっており、下ケース１６側が円柱状のボス３２Ｂになっている。そして、下ケース１６側のボス３２Ｂの先端（上端）が、上ケース１４側のボス３２Ａに嵌入することにより、支軸３２が構成されるようになっている。したがって、ボス３２Ｂの径がボス３２Ａの径よりも若干小さくなっている。
【００２２】
また、ドア３０の内面の右端部近傍（図６〜図１０で示す右端部３３より所定距離左方へずれた位置）には、平板状の回転摺動部３４、３６、３８が３本平行に突設されている。この回転摺動部３４、３６、３８は、ドア３０の内面の上下両端部と、中央より若干下方へずれた中途部とからそれぞれ突設され、各回転摺動部３４、３６、３８には、支軸３２に遊嵌される貫通孔が穿設されている。したがって、各貫通孔に支軸３２が挿通されることにより、ドア３０が回動可能に支持される。
【００２３】
また、上端部の回転摺動部３４の上面と、下端部の回転摺動部３８の下面には、それぞれ貫通孔周りに環状凸部４０が形成されている。そして、この環状凸部４０が、それぞれ上ケース１４の天板１４Ａ内面と下ケース１６の底板１６Ａ内面に接触することにより、ドア３０の上端面３０Ａと天板１４Ａ内面との間、及びドア３０の下端面３０Ｂと底板１６Ａ内面との間に、それぞれ０．３ｍｍ〜０．５ｍｍ程度の隙間が形成されるようになっている。
【００２４】
また、回転摺動部３４、３６、３８間のドア３０の内面には、先端が支軸３２の外周面に略沿った平断面視円弧状とされた隆起部４２が形成されている。そして、支軸３２には、ドア３０を常時開口２０の閉塞方向へ付勢するトーションバネ４６の巻回部４６Ａが挿嵌されている。すなわち、このトーションバネ４６の巻回部４６Ａは、下端部の回転摺動部３８と中途部の回転摺動部３６の間に保持された状態で、径が細い方のボス３２Ｂに挿嵌されて取り付けられている。
【００２５】
そして、トーションバネ４６の一方の端部（図示省略）側は、ケース１２のビスボス４４（下ケース１６に突設されたビスボス）に係止され、他方の端部（図示省略）側は、回転摺動部３６、３８間における隆起部４２の右側の縁端部に係止されている。これにより、ドア３０がトーションバネ４６の付勢力により、常時開口２０の閉塞方向へ付勢される構成である。なお、ドア３０に設けられている保持手段６０については後述する。
【００２６】
一方、リーダーテープ２２は、ドライブ装置の引出部材（図示省略）が記録テープＴを引き出すために係合する被引出部材であり、スプライステープ（図示省略）によって記録テープＴの端部に取り付けられている。そして、リーダーテープ２２の引出方向側先端部２２Ａの近傍には、引出部材が係合する係合孔部２４が穿設されている。
【００２７】
この係合孔部２４は、図２で示すように、真円部２４Ａとリーダーテープ２２の先端部２２Ａの形状に略沿った幅狭部２４Ｂとが、リーダーテープ２２の引出方向に連通されて形成されている。そして、左側壁１２Ｂのコーナー部１２Ｃ側は、その係合孔部２４を露出可能に切り欠かれている（図１参照）。
【００２８】
また、リーダーテープ２２の係合孔部２４近傍の上下両サイドには、それぞれ上下方向（幅方向）に向かって矩形状に張り出す張出部２６が形成されている。この張出部２６は、その前端２６Ａが、側面視で、幅狭部２４Ｂが穿設された先端部２２Ａに連続するテーパー状に形成され、記録テープＴ側の辺縁部である後端２６Ｂが、係合孔部２４の最後端よりも後方（記録テープＴが接続されている方向）側に位置するように形成されている。
【００２９】
ここで、このリーダーテープ２２は、ポリエチレンテレフタレート（ＰＥＴ）を主基材とするプラスチック製であり、そのヤング率は、３５００ＭＰａ〜４５００ＭＰａ、好ましくは４０００ＭＰａとされている。また、リーダーテープ２２の基材の厚さ（表面コーティングを除いた厚さ）は、例えば１００μｍ〜２００μｍに形成されている。
【００３０】
また、このリーダーテープ２２の先端部２２Ａには、側面視略「Ｕ」字状を成す弾性保持部２８が一体的に設けられている。この弾性保持部２８は、天然ゴム系又はブタジエンゴムなどの合成ゴム系の粘弾性体で構成されており、リーダーテープ２２の先端部２２Ａとの間には、後述する係止爪７０が挿入される保持孔部２９が形成されている。
【００３１】
なお、この弾性保持部２８の突出長さＬ１は、張出部２６の前端２６Ａから先端部２２Ａまでの長さＬ２の約１／２とされている（Ｌ１≒Ｌ２／２）。また、この弾性保持部２８の厚さは、リーダーテープ２２の基材の厚さと同等とされている（例えば１００μｍ〜２００μｍとされている）。
【００３２】
また、張出部２６が、上ケース１４の内面及び下ケース１６の内面にそれぞれ形成された収納保持部としてのスロット部５０内に収納（挿入）されることにより、リーダーテープ２２がケース１２内に保持されるようになっている。すなわち、このスロット部５０は、図３で示すように、左側壁１２Ｂと、その左側壁１２Ｂと所定の間隙を有するように立設された規制壁５２とで構成され、規制壁５２の後端は、左側壁１２Ｂと一体に連設して後方側を閉塞する後壁５４とされている。
【００３３】
また、規制壁５２の前端は、ケース１２の形状に略沿うように、所定長さ右方側へ屈曲形成された前壁４８とされ、スロット部５０の前方側が開口２０に臨むように開放されている。これにより、張出部２６はスロット部５０の前方側から良好に出入可能となるとともに、後端２６Ｂが後壁５４に位置規制されて、その収納位置が決められる構成である。なお、前壁４８は、後述する保持手段６０の係止板６６を、ドア３０の開口閉塞動作に伴って、そのドア３０の内面側へ相対的に回動させる回動操作部材にもなっている。
【００３４】
また、規制壁５２（後壁５４を含む）の高さは、リーダーテープ２２及び記録テープＴに干渉しない程度の高さに形成され、規制壁５２と上下それぞれの張出部２６とのケース１２高さ方向のオーバーラップ量の合計が、記録テープＴの幅の２０％〜４０％とされている。これは、２０％未満では張出部２６がスロット部５０から外れ易く、４０％より大きければ、リーダーテープ２２や記録テープＴに干渉するおそれが出てくるからである。
【００３５】
これを具体的な数値を用いて説明すると、記録テープＴの幅が１２．６５ｍｍ（１／２インチ）の場合、規制壁５２と上下それぞれの張出部２６とのケース１２高さ方向のオーバーラップ量の合計は、３．０ｍｍ〜５．０ｍｍが好ましく、５．０ｍｍとするのが、張出部２６のスロット部５０からの脱落（外れ）を防止する上で好適である。
【００３６】
また、図３で示すように、ドア３０の屈曲部の内側には、リーダーテープ２２の先端部２２Ａ及びその先端部２２Ａに設けられている弾性保持部２８を許容する凹部３１が形成されており、その凹部３１内に挿入（配置）される弾性保持部２８を保持する保持手段６０が、ドア３０の前壁１２Ａ側を閉塞する部位の所定位置に設けられている。
【００３７】
この保持手段６０は、図４で詳細に示すように、合成樹脂製の略平板状の係止板６６を有しており、この係止板６６の左方を向く一方の辺縁部の上下方向（ケース１２の高さ方向であり、リーダーテープ２２の幅方向）略中央部には、ドア３０の内面側へ向かって屈曲された係止爪７０が一体に形成されている。
【００３８】
また、係止板６６の右方を向く他方の辺縁部の上下方向両端部には、係止爪７０とは反対方向に一体に突出するとともに、後述するシャフト５８が遊挿可能な貫通孔６８Ａをそれぞれ有する一対の回動支持部６８が形成されている。そして、その一対の回動支持部６８間には付勢部材としてのトーションバネ５６の巻回部５６Ａが配置されるようになっており、トーションバネ５６の一端部５６Ｂはドア３０の内面に、他端部５６Ｃは係止板６６の外面（ドア３０の内面に対向する面）に、それぞれ係止されるようになっている。
【００３９】
なお、巻回部５６Ａの内径は、後述するシャフト５８の外径よりも若干大径とされている。また、ドア３０の幅方向両端部の内面には、回動支持部６８を回動可能に支持する一対の支持部６２が一体に形成されており、この一対の支持部６２には、後述するシャフト５８が圧入可能な貫通孔６２Ａがそれぞれ形成されている。
【００４０】
したがって、係止板６６の回動支持部６８を支持部６２間に配置し、更にトーションバネ５６の一端部５６Ｂをドア３０の内面側に、他端部５６Ｃを係止板６６の外面側に配置しつつ、巻回部５６Ａを回動支持部６８間に配置して、各貫通孔６２Ａ、６８Ａ及び巻回部５６Ａに、金属製のシャフト５８を挿通（圧入）することにより、係止板６６がドア３０の内面側にトーションバネ５６によって、そのドア３０の内面側から離隔する方向に付勢された状態で回動可能に設けられる。
【００４１】
また、凹部３１とは反対側の支持部６２間には、ドア３０の幅方向に延在するストッパー部６４が一体に形成されており、図５で示すように、係止板６６が、トーションバネ５６の付勢力によって付勢されて、そのストッパー部６４に当接することで、係止爪７０の回動範囲が規制されるようになっている。
【００４２】
なお、上記したように、貫通孔６２Ａの内径はシャフト５８の外径よりも若干小さく形成され（圧入可能とされ）、貫通孔６８Ａの内径は、シャフト５８の外径よりも若干大きく形成されている（遊挿可能とされている）。したがって、係止板６６はスムーズに回動できるとともに、シャフト５８が支持部６２から脱落することはない。
【００４３】
そして、この係止爪７０は、ドア３０の開口閉塞動作に伴ってドア３０の内面側へ回動し、ドア３０が開口２０を完全に閉塞した状態で、保持孔部２９に挿入されるように構成されている。つまり、ドア３０の開口閉塞動作に伴って、係止板６６の上下方向両端部が、前壁４８に相対的にドア３０の内面側へ押されることにより、係止爪７０が、トーションバネ５６の付勢力に抗してドア３０の内面側へ回動し、保持孔部２９に挿入されるようになっている。
【００４４】
以上のような構成の記録テープカートリッジ１０において、次にその作用について図６〜図１０を基に説明する。図６、図８で示すように、記録テープカートリッジ１０は、不使用時（ドライブ装置に装填しないとき）には、ドア３０が開口２０を閉塞している。そして、リーダーテープ２２は、その張出部２６がスロット部５０内に収納（挿入）されて保持されることにより、左側壁１２Ｂに沿って配置されている。
【００４５】
また、このとき、ドア３０に設けられた保持手段６０の係止爪７０が弾性保持部２８に形成されている（リーダーテープ２２の先端部２２Ａと弾性保持部２８との間に穿設されている）保持孔部２９に挿入されている。したがって、落下等の衝撃により、リーダーテープ２２がリール巻き締まり方向（テンション方向）へ引き込まれようとしても、弾性保持部２８が係止爪７０によって保持されているので、その引き込みが阻止される。
【００４６】
つまり、リーダーテープ２２がテンション方向へ引き込まれようとしたときには、係止爪７０によって保持されている弾性保持部２８が弾性変形するとともに、その復元力によって、リーダーテープ２２をテンション方向とは逆方向のリーダーテープ引出方向へ引っ張る。
【００４７】
したがって、張出部２６はスロット部５０内における所定の収納位置にとどまる（元の位置に戻る）ことができ、後壁５４を乗り越えるような不具合は起きない。よって、リーダーテープ２２（張出部２６）がスロット部５０から外れることはない（リーダーテープ２２のスロット部５０からの脱落が防止される）。
【００４８】
記録テープカートリッジ１０の記録テープＴにデータを記録、又は記録テープカートリッジ１０の記録テープＴに記録されたデータを再生する際には、その記録テープカートリッジ１０をドライブ装置（図示省略）へ装填する。すなわち、ドライブ装置の装填口（図示省略）に記録テープカートリッジ１０を前壁１２Ａ側から挿入する。すると、その装填に伴って、ドライブ装置の開閉部材（図示省略）が相対的にドア３０の右端部３３（支軸３２よりも右側）へ接近、当接して、その右端部３３を押圧する。
【００４９】
開閉部材がドア３０の右端部３３を押圧すると、ドア３０は、トーションバネ４６の付勢力に抗して支軸３２を中心に平面視時計方向へ回動し、開口２０を開放する。なお、このとき、ドア３０の上端面３０Ａと天板１４Ａ内面の間、及びドア３０の下端面３０Ｂと底板１６Ａ内面との間には、それぞれ環状凸部４０によって０．３ｍｍ〜０．５ｍｍ程度の隙間が形成されているので（ドア３０において、上ケース１４及び下ケース１６と接触しているのは、環状凸部４０だけとなっているので）、ドア３０は摺動抵抗少なく回動できる。
【００５０】
また、そのドア３０において、少なくとも回転摺動部３４、３６、３８及び環状凸部４０は、ＰＯＭ等のオレフィン系樹脂で成形することが望ましい。これによれば、ＰＣ等の樹脂で成形されている上ケース１４及び下ケース１６に対する摺動抵抗を更に低減することができるとともに、支軸３２に対する摺動抵抗も低減することができる。
【００５１】
また、トーションバネ４６の巻回部４６Ａは、回転摺動部３６、３８の間に配置されているので、その回転摺動部３６、３８がＰＯＭ等のオレフィン系樹脂で成形されていると、ＰＣ等の樹脂で成形されるケース１２よりも削られ難くなる。つまり、トーションバネ４６の巻回部４６Ａが、ドア３０の回動によって摺動しても、摩耗粉等が発生し難くなるため、記録テープＴに対して悪影響を与えることがない。
【００５２】
また、ドア３０の開口開放動作に伴って、係止板６６が前壁４８から離隔し始めると、図９で示すように、その係止板６６（係止爪７０）は、トーションバネ５６の付勢力によって、ドア３０の内面側から離隔する方向へシャフト５８を中心にして回動する。すると、その係止爪７０は、保持孔部２９から離脱し、リーダーテープ２２から外れる。
【００５３】
したがって、ドア３０の開口開放動作によって、リーダーテープ２２がスロット部５０から引き出されるような不具合は起きない。なお、ドア３０の内面側から離隔するように回動した係止板６６（係止爪７０）は、ストッパー部６４に当接することで、その回動範囲が規制され、そのストッパー部６４に当接した状態で保持される（図７、図１０参照）。
【００５４】
こうして、ドア３０が回動して開口２０が開放されると、ドライブ装置の引出部材（図示省略）が左側壁１２Ｂ側から開口２０に接近し、リーダーテープ２２の係合孔部２４に係合する。このとき、スロット部５０はコーナー部１２Ｃ近傍の左側壁１２Ｂに沿って形成されているので、リーダーテープ２２の係合孔部２４を含む後方側は左側壁１２Ｂに接近した状態に待機でき、更に、その左側壁１２Ｂは、係合孔部２４を露出させるように切り欠かれているので、引出部材は確実に係合孔部２４に係合できる。
【００５５】
こうして、引出部材が係合孔部２４に係合したら、その引出部材が開口２０から離隔することにより、リーダーテープ２２がケース１２のスロット部５０内から引き出される。なお、このとき、弾性保持部２８は、係合孔部２４よりもリーダーテープ２２の引出方向側に設けられているので、ドライブ装置の引出部材が幅狭部２４Ｂに係合しても、弾性保持部２８に接触することはない。したがって、リーダーテープ２２は、支障なくスロット部５０内から引き出される。そして、ケース１２内から引き出されたリーダーテープ２２は、ドライブ装置の巻取リール（図示省略）に支障なく巻回される。
【００５６】
一方、記録テープカートリッジ１０のリール１８のリールギア（図示省略）には、ドライブ装置の駆動ギア（図示省略）がギア開口（図示省略）から進入して噛合している。したがって、その巻取リールとリール１８が同期して回転することにより、記録テープＴが順次ドライブ装置側へ送り出され、そのドライブ装置の記録再生ヘッド（図示省略）によって、記録テープＴにデータの記録、又は記録テープＴに記録されたデータの再生が行われる。
【００５７】
記録テープカートリッジ１０をドライブ装置から取り出すときには、まず、リール１８が巻き戻されてリーダーテープ２２が巻取リールから外され、開口２０からケース１２内に戻される。なお、このとき、コーナー部１２Ｃにおける天板１４Ａ内面及び底板１６Ａ内面に、開口２０を拡開するようなテーパー面（図示省略）が形成されていると、張出部２６がよりスムーズにスロット部５０内に挿入される（収納される）ので好ましい。
【００５８】
こうして、張出部２６がスロット部５０内に収納（挿入）され、リーダーテープ２２がケース１２内の所定位置に保持され、リールギアと駆動ギアとの噛合が解除されたら、記録テープカートリッジ１０が装填口から排出されるが、この排出動作に伴って、開閉部材がドア３０の右端部３３から離隔する。
【００５９】
すると、ドア３０はトーションバネ４６の付勢力によって、支軸３２を中心に平面視反時計方向へ回動して、開口２０を閉塞する。そして、このドア３０の開口閉塞動作に伴って係止爪７０が保持孔部２９に挿入される。すなわち、ドア３０が開口閉塞方向へ回動すると、係止板６６の上下方向両端部が、前壁４８によって相対的にドア３０の内面側へトーションバネ５６の付勢力に抗して押される（図９参照）。
【００６０】
そして、この係止板６６のドア３０の内面側への回動により、係止爪７０がドア３０の内面側へ回動し、ドア３０が開口２０を完全に閉塞したときに、スロット部５０に収納保持されているリーダーテープ２２の弾性保持部２８に形成されている保持孔部２９に挿入される（図６、図８参照）。こうして、開口２０がドア３０によって閉塞され、ドア３０に設けられた保持手段６０（係止爪７０）によって、リーダーテープ２２の弾性保持部２８が保持された後、記録テープカートリッジ１０がドライブ装置から排出される。
【００６１】
以上、説明したように、記録テープカートリッジ１０の不使用時において、リーダーテープ２２の先端部２２Ａ側に設けられた弾性保持部２８を保持する保持手段６０を、ドア３０に設けたので、例えば記録テープカートリッジ１０を誤って落下させてしまった場合等、ケース１２（コーナー部１２Ｃ）に衝撃が加えられても、そのリーダーテープ２２（張出部２６）がスロット部５０から外れることがない。
【００６２】
つまり、リーダーテープ２２のリール巻き締まり方向（テンション方向）への移動を、保持手段６０（係止爪７０）によって保持された弾性保持部２８の復元力で阻止できるので、リーダーテープ２２の張出部２６が規制壁５２（後壁５４）を乗り越えるような不具合は起きない。したがって、リーダーテープ２２（張出部２６）のスロット部５０からの脱落は良好に防止される。
【００６３】
なお、上記実施例では、保持手段６０をドア３０に設ける構成としたが、保持手段６０はケース１２に設ける構成にしてもよい（図示省略）。すなわち、保持手段６０は、ドア３０の開閉動作に伴って、係止爪７０がリーダーテープ２２の保持孔部２９に対して挿入・離脱可能となるように構成されていれば、任意の構成を採用して構わない。
【００６４】
また、リール１８に巻装される記録テープＴは、情報の記録及び記録した情報の再生が可能な長尺テープ状の情報記録再生媒体として把握されるものであれば足り、本発明に係る記録テープカートリッジ１０が如何なる記録再生方式の記録テープＴにも適用可能であることは言うまでもない。
【図面の簡単な説明】
【００６５】
【図１】記録テープカートリッジを示す概略斜視図
【図２】リーダーテープの先端部側の構成を示す概略側面図
【図３】記録テープカートリッジの開口付近の構成を示す概略平面図
【図４】ドアに設けられた保持手段の構成を示す概略分解斜視図
【図５】保持手段を備えたドアの一部破断概略平面図
【図６】保持孔部に対して係止爪が完全に挿入された状態を示す概略斜視図
【図７】保持孔部に対して係止爪が挿入される前又は離脱された後の状態を示す概略斜視図
【図８】保持孔部に対して係止爪が完全に挿入された状態を示す概略平面図
【図９】保持孔部に対して係止爪が挿入される直前又は離脱された直後の状態を示す概略平面図
【図１０】保持孔部に対して係止爪が挿入される前又は離脱された後の状態を示す概略平面図
【符号の説明】
【００６６】
１０  記録テープカートリッジ
１２  ケース
１８  リール
２０  開口
２２  リーダーテープ
２４  係合孔部
２６  張出部
２８  弾性保持部
２９  保持孔部
３０  ドア
４６  トーションバネ
４８  前壁
５０  スロット部（収納保持部）
５２  規制壁
５４  後壁
５６  トーションバネ
５８  シャフト
６０  保持手段
６２  支持部
６４  ストッパー部
６６  係止板
６８  回動支持部
７０  係止爪
Ｔ  記録テープ
【図１】
2010061747.tif 000003
【図２】
2010061747.tif 000004
【図３】
2010061747.tif 000005
【図４】
2010061747.tif 000006
【図５】
2010061747.tif 000007
【図６】
2010061747.tif 000008
【図７】
2010061747.tif 000009
【図８】
2010061747.tif 000010
【図９】
2010061747.tif 000011
【図１０】
2010061747.tif 000012